(57)【特許請求の範囲】
【請求項１】
マクロセルを形成するマクロノードと、該マクロセルに包含される各マイクロセルを形成するマイクロノードと、を含む無線通信システムにおいて、前記マイクロノードを制御する制御装置であって、
前記マクロノード又は前記マイクロノードのいずれかに接続する無線通信端末の現在位置と移動方向とを取得する取得部と、
前記取得部によって取得された前記現在位置と前記移動方向とに基づいて、前記無線通信端末の移動予測範囲を決定する移動予測範囲決定部と、
前記現在位置に位置する前記無線通信端末が、過去に、前記移動予測範囲内の各マイクロノードに対して接続した確率である接続率を保持する保持部と、
前記移動予測範囲決定部によって決定された前記移動予測範囲内のマイクロノードのうち、前記接続率が所定の閾値以上であるマイクロノードの状態を、前記無線通信端末が接続不可能なオフ状態から前記無線通信端末が接続可能なオン状態に切り替えることを決定する決定部と、
を具備することを特徴とする制御装置。
【請求項２】
前記決定部は、前記移動予測範囲外のマイクロノードの状態を、前記オン状態から前記オフ状態に切り替えることを決定することを特徴とする請求項１に記載の制御装置。
【請求項３】
前記移動予測範囲決定部は、前記取得部によって取得された前記現在位置を中心とする所定の半径の円内であり、かつ、前記移動方向を中心とする所定の角度範囲のエリアを、前記移動予測範囲として決定することを特徴とする請求項１又は２に記載の制御装置。
【請求項４】
前記移動予測範囲決定部は、前記無線通信端末の移動速度に応じて、前記移動予測範囲を動的に変更することを特徴とする請求項１乃至３のいずれか一項に記載の制御装置。
【請求項５】
前記決定部によって状態の切り替えが決定されたマイクロノードに対して、前記状態の切り替え指示を送信する送信部を更に具備することを特徴とする請求項１乃至４のいずれか一項に記載の制御装置。
【請求項６】
前記無線通信端末が接続するマクロノード又はマイクロノードに対して、前記決定部によって状態の切り替えが決定されたマイクロノードに対する前記状態の切り替え指示を送信するように要求する要求部を更に具備することを特徴とする請求項１乃至５のいずれか一項に記載の制御装置。
【請求項７】
マクロセルを形成するマクロノードと、該マクロセルに包含される各マイクロセルを形成するマイクロノードと、前記マイクロノードを制御する制御装置と、を含む無線通信システムにおける無線通信方法であって、
前記制御装置が、前記マクロノード又は前記マイクロノードのいずれかに接続する無線通信端末の該無線通信端末の現在位置と移動方向とを取得する工程と、
前記制御装置が、前記現在位置に位置する前記無線通信端末が、過去に、前記移動予測範囲内の各マイクロノードに対して接続した確率である接続率を保持する工程と、
前記制御装置が、取得された前記現在位置と前記移動方向とに基づいて、前記無線通信端末の移動予測範囲を決定する工程と、
前記制御装置が、前記移動予測範囲内のマイクロノードのうち、前記接続率が所定の閾値以上であるマイクロノードの状態を、前記無線通信端末が接続不可能なオフ状態から前記無線通信端末が接続可能なオン状態に切り替えることを決定する工程と、
を有することを特徴とする無線通信方法。
【発明の詳細な説明】
【技術分野】
【０００１】
本発明は、マクロセルを形成するマクロノードと、該マクロセルに包含される各マイクロセルを形成するマイクロノードと、を含む無線通信システムにおいて、マイクロノードを制御する制御装置及び無線通信方法に関する。
【背景技術】
【０００２】
近年、伝搬路減衰による無線通信リンクの劣化を防止するため、カバレッジ半径が数キロメートルのマクロセル内に、カバレッジ半径が数百メートルのマイクロセルを多数設けた無線通信システムが検討されている（例えば、特許文献１）。このような無線通信システムでは、マクロセルを形成するマクロノードと各マイクロセルを形成するマイクロノードとが制御装置に接続されており、当該制御装置がマクロノード及び多数のマイクロノードとを制御する。
【先行技術文献】
【特許文献】
【０００３】
【特許文献１】特開２００９−１５９３５５号公報
【発明の概要】
【発明が解決しようとする課題】
【０００４】
しかしながら、上述のようなマクロセル内に多数のマイクロセルが設けられる無線通信システムでは、各マイクロセルを形成するマイクロノードの消費電力が増大するという問題点があった。
【０００５】
本発明は、マクロセル内に多数のマイクロセルが設けられる無線通信システムにおいて、各マイクロセルを形成するマイクロノードの消費電力を低減可能な制御装置及び無線通信方法を提供することを目的とする。
【課題を解決するための手段】
【０００６】
本発明の第１側面に係る制御装置は、マクロセルを形成するマクロノードと、該マクロセルに包含される各マイクロセルを形成するマイクロノードと、を含む無線通信システムにおいて、前記マイクロノードを制御する制御装置であって、前記マクロノード又は前記マイクロノードのいずれかに接続する無線通信端末の現在位置と移動方向とを取得する取得部と、前記取得部によって取得された前記現在位置と前記移動方向とに基づいて、前記無線通信端末の移動予測範囲を決定する移動予測範囲決定部と、前記移動予測範囲決定部によって決定された前記移動予測範囲内のマイクロノードの状態を、前記無線通信端末が接続不可能なオフ状態から前記無線通信端末が接続可能なオン状態に切り替えることを決定する決定部と、を具備する。
【０００７】
この構成によれば、マイクロノードが無線通信端末の移動予測範囲内であるか否かによって、マイクロノードの状態がオフ状態からオン状態に切り替えられる。したがって、マクロセル内に多数のマイクロセルが設けられる無線通信システムにおいて、各マイクロセルを形成するマイクロノードを常にオン状態にする必要がなく、マイクロノードの消費電力を低減することができる。
【０００８】
本発明の第２側面に係る無線通信方法は、マクロセルを形成するマクロノードと、該マクロセルに包含される各マイクロセルを形成するマイクロノードと、前記マイクロノードを制御する制御装置と、を含む無線通信システムにおける無線通信方法であって、前記制御装置が、前記マクロノード又は前記マイクロノードのいずれかに接続する無線通信端末の該無線通信端末の現在位置と移動方向とを取得する工程と、前記制御装置が、取得された前記現在位置と前記移動方向とに基づいて、前記無線通信端末の移動予測範囲を決定する工程と、前記制御装置が、前記移動予測範囲内のマイクロノードの状態を、前記無線通信端末が接続不可能なオフ状態から前記無線通信端末が接続可能なオン状態に切り替えることを決定する工程と、を有する。
【発明の効果】
【０００９】
本発明によれば、マクロセル内に多数のマイクロセルが設けられる無線通信システムにおいて、各マイクロセルを形成するマイクロノードの消費電力を低減可能な制御装置及び無線通信方法を提供できる。
【図面の簡単な説明】
【００１０】
【図１】本発明の第１の実施形態に係る無線通信システムの概略構成図である。
【図２】本発明の第１の実施形態に係る制御装置の機能構成図である。
【図３】本発明の第１の実施形態に係る無線通信システムの動作を示すシーケンス図である。
【図４】本発明の第１の実施形態に係る無線通信システムの動作の具体例を示す図である。
【図５】本発明の変更例１に係る制御装置の機能構成図である。
【図６】本発明の変更例１に係る無線通信システムの動作を示すシーケンス図である。
【図７】本発明の変更例１に係る無線通信システムの動作の具体例を示す図である。
【発明を実施するための形態】
【００１１】
以下、本発明の実施の形態について説明する。なお、以下の図面の記載において、同一または類似の部分には、同一または類似の符号を付している。
【００１２】
［第１の実施形態］
＜無線通信システムの全体概略構成＞
図１は、第１の実施形態に係る無線通信システムの構成図である。図１に示すように、無線通信システムは、マクロノード１０と、多数のマイクロノード２０ａ乃至２０ｎと、光ファイバなどの固定通信回線（不図示）を介してマクロノード１０と各マイクロノード２０とに接続された制御装置３０と、マクロノード１０又は各マイクロノード２０と無線通信を行う無線通信端末４０と、から構成される。
【００１３】
マクロノード１０は、カバレッジ半径が数キロメートルのマクロセル１１を形成する無線基地局である。マクロノード１０としては、例えば、ＧＰＲＳ方式、ＵＭＴＳ方式、ＬＴＥ方式、ＩＭＴ−Ａｄｖａｎｃｅｄ方式などのセルラー方式の無線基地局が用いられてもよい。
【００１４】
マイクロノード２０ａ乃至２０ｎは、カバレッジ半径が数百メートルのマイクロセル２１ａ乃至２１ｎを形成する小型無線基地局である。マイクロノード２０ａ乃至２０ｎとしては、例えば、ＲＲＨ（Ｒｅｍｏｔｅ  Ｒａｄｉｏ  Ｈｅａｄ）や、フェムトセルを形成する小型無線基地局や、分散アンテナシステム（ＤＡＳ：Ｄｉｓｔｒｉｂｕｔｅｄ  Ａｎｔｅｎｎａ  Ｓｙｓｔｅｍ）のＲＡＵ（Ｒｅｍｏｔｅ  Ａｎｎｔｅｎｎａ  Ｕｎｉｔ）などが用いられてもよい。以下、マイクロノード２０ａ乃至２０ｎを総称する場合、マイクロノード２０と称する。なお、マイクロノード２０の数は、図１に示す数に限られるものではない。
【００１５】
制御装置３０は、光ファイバなどの固定通信回線（不図示）を介して、マクロノード１０と各マイクロノード２０とに接続されている。制御装置３０としては、例えば、ＲＮＣ（Ｒａｄｉｏ  Ｎｅｔｗｏｒｋ  Ｃｏｎｔｒｏｌｌｅｒ）や、分散アンテナシステムのＣＵ（Ｃｏｎｔｒｏｌ  Ｕｎｉｔ）などが用いられてもよい。
【００１６】
無線通信端末４０は、例えば、携帯電話端末、ノートパソコンなど、無線通信機能を備えた端末である。無線通信端末４０は、マクロノード１０又はマイクロノード２０と無線通信を行う。また、無線通信端末４０は、自端末の位置を把握可能に構成されている。位置把握は自端末にＧＰＳ衛星からのＧＰＳ信号の受信機能を備えること等による。
【００１７】
図１に示す無線通信システムにおいて、制御装置３０は、マクロノード１０又はマイクロノード２０のいずれかに接続する無線通信端末４０の現在位置と移動方向とを取得する。制御装置３０は、取得した無線通信端末４０の現在位置と移動方向とに基づいて無線通信端末４０の移動予測範囲ａ（後述）を決定し、決定した移動予測範囲ａ内のマイクロノード２０の状態を、オフ状態からオン状態に切り替えることを決定する。
【００１８】
ここで、オン状態とは、マイクロノード２０が無線通信端末４０との無線通信用の送受信回路をオンとし、無線通信端末４０がマイクロノード２０に接続可能な状態であることをいう。オン状態は、後述するように、無線通信端末４０がマイクロノード２０に接続している接続状態と、無線通信端末４０がマイクロノード２０に接続していないアイドル状態とを含む。一方、オフ状態とは、マイクロノード２０が無線通信端末４０との無線通信用の送受信回路をオフとし、無線通信端末４０がマイクロノード２０に接続不可能な状態であることをいう。
【００１９】
以上のように、図１に示す無線通信システムでは、制御装置３０が、無線通信端末４０の移動予測範囲ａ内のマイクロノード２０の状態をオフ状態からオン状態に切り替えることにより、マクロセル１１内に多数のマイクロセル２１が設けられる無線通信システムにおいて、各マイクロセル２１を形成するマイクロノード２０の消費電力を低減することができる。
【００２０】
＜制御装置の構成＞
制御装置３０は、通信インタフェース、プロセッサ、メモリ、送受信回路などを含むハードウェアを有しており、メモリには、プロセッサによって実行されるソフトウェアモジュールが記憶されている。後述する制御装置３０の機能構成は、上述のハードウェアによって実現されてもよいし、プロセッサによって実行されるソフトウェアモジュールによって実現されてもよいし、両者の組み合わせによって実現されてもよい。
【００２１】
図２は、第１の実施形態に係る制御装置の機能構成図である。図２に示すように、制御装置３０は、カバー範囲座標計算部３１、取得部３２、移動予測範囲決定部３３、切り替え決定部３４、通信部３５を具備する。
【００２２】
カバー範囲座標計算部３１は、マクロセル１１内の各マイクロノード２０のカバー範囲座標を計算する。ここで、カバー範囲座標とは、各マイクロノード２０が形成するマイクロセル２１内の所定数の座標の集合である。例えば、マクロセル１１内にＬ個のマイクロノード２０が設けられる場合、ｍ番目のマイクロノード２０のカバー範囲座標（Ｘｍ，ｉ，ｊ，Ｙｍ，ｉ，ｊ）（ここで、１≦ｍ≦Ｌ、１≦ｉ≦Ｍ、１≦ｊ≦Ｎ）は、ｍ番目のマイクロノード２０が形成するマイクロ２１内のＭ＊Ｎ個の座標の集合を示す。なお、カバー範囲座標計算部３１による詳細な計算方法は後述する。
【００２３】
取得部３２は、無線通信端末４０が接続するマクロノード１０又はマイクロノード２０を介して、無線通信端末４０の現在位置と移動方向とを取得する。ここで、無線通信端末４０の現在位置は、座標によって示され、無線通信端末４０の現在位置を示す座標（以下、現在位置座標という）（ｘＵＥ，ｙＵＥ）は、例えば、無線通信端末４０がＧＰＳ衛星から受信するＧＰＳ信号に基づいて算出される。また、無線通信端末４０の移動方向θ０は、角度によって示される。
【００２４】
移動予測範囲決定部３３は、取得部３２によって取得された無線通信端末４０の現在位置と移動方向とに基づいて、無線通信端末４０の移動予測範囲ａを決定する。ここで、移動予測範囲ａとは、無線通信端末４０が現在位置を中心とする所定の半径ｒの円内であり、かつ、上記移動方向を中心とする所定の角度範囲θｍａｘ内のエリアである。なお、移動予測範囲ａの大きさは、固定であってもよいし、動的に変更されてもよい。例えば、動的に変更する場合、無線通信端末４０の移動速度に合わせて移動予測範囲ａを調整する。移動速度が大きくなるにつれて移動予測範囲ａを大きくすることによりマイクロノード２０の無駄なオンオフ状態切り替えを回避する。
【００２５】
切り替え決定部３４は、移動予測範囲決定部３３によって決定された無線通信端末４０の移動予測範囲ａ内のマイクロノード２０の状態をオフ状態からオン状態に切り替えることを決定する。また、切り替え決定部３４は、無線通信端末４０の移動予測範囲ａ外のマイクロノード２０の状態をオン状態からオフ状態に切り替えることを決定してもよい。なお、切り替え決定部３４による詳細な決定方法は後述する。
【００２６】
通信部３５は、無線通信端末４０の現在位置と移動方向とをマクロノード１０又はマイクロノード２０を介して受信し、受信した現在位置と移動方向とを取得部３２に出力する。また、通信部３５は、切り替え決定部３４による決定に従って、切り替え対象のマイクロノード２０に対して切り替え指示を送信する。或いは、通信部３５は、切り替え決定部３４の決定に従って、無線通信端末４０が接続するマクロノード１０又はマイクロノード２０に対して、切り替え対象のマイクロノード２０に対する切り替え指示の送信を要求してもよい。
【００２７】
＜無線通信システムの動作＞
次に、図３及び４を参照し、以上のように構成された第１の実施形態に係る無線通信システムの動作について説明する。図３は、第１の実施形態に係る無線通信システムの動作を示すシーケンス図である。なお、制御装置３０は、マクロセル１１内のＬ個のマイクロノード２０の中心座標（ｘｂｓ，ｍ，ｙｂｓ，ｍ）（ここで、１≦ｍ≦Ｌ）を予め保持しているものとする。
【００２８】
図３に示すように、制御装置３０のカバー範囲座標計算部３１は、マイクロノード２０のカバー範囲座標を計算する（ステップＳ１０１）。なお、カバー範囲座標計算部３１は、マクロセル１１内の各マイクロノード２０のカバー範囲座標を計算し、計算値を予め保持していてもよいし、無線通信端末４０の現在位置と移動方向とを取得する際に無線通信端末４０が接続するマイクロノード２０以外の各マイクロノード２０のカバー範囲座標を計算してもよい。
【００２９】
具体的には、カバー範囲座標計算部３１は、Ｌ個のマイクロノード２０がカバー範囲座標の計算対象となる場合、ｍ番目のマイクロノード２０の中心座標を（ｘｂｓ，ｍ，ｙｂｓ，ｍ）としその半径をｒｍとすると、ｍ番目のマイクロノード２０のカバー範囲座標（Ｘｍ，ｉ，ｊ，Ｙｍ，ｉ，ｊ）（ここで、１≦ｍ≦Ｌ、１≦ｉ≦Ｍ、１≦ｊ≦Ｎ）は、次式により表わされる。
Ｘｍ，ｉ，ｊ＝ｘｂｓ，ｍ＋ｒｍ，ｉ＊ｃｏｓ（θｊ）
Ｙｍ，ｉ，ｊ＝ｙｂｓ，ｍ＋ｒｍ，ｉ＊ｓｉｎ（θｊ）
【００３０】
ここで、ｒｍ，ｉ＝ｒｍ＊ｉ／Ｍ（１≦ｉ≦Ｍ）であり、ｒｍ，ｉは、ｍ番目のマイクロノード２０の中心座標（ｘｂｓ，ｍ，ｙｂｓ，ｍ）からのｉ番目の距離を示すものである。また、θｊ＝２π＊ｊ／Ｎ（１≦ｊ≦Ｎ）であり、θｊは、ｍ番目のマイクロノード２０の中心座標（ｘｂｓ，ｍ，ｙｂｓ，ｍ）を原点とするｊ番目の角度を示すものである。
【００３１】
以上の式で表わされるように、ｍ番目のマイクロノード２０のカバー範囲座標（Ｘｍ，ｉ，ｊ，Ｙｍ，ｉ，ｊ）は、ｍ番目のマイクロノード２０が形成するマイクロセル２１内の位置を示すＭ＊Ｎ個の座標の集合である。カバー範囲座標計算部３１は、上述の式を用いて、各マイクロノード２０のカバー範囲座標を計算する。
【００３２】
無線通信端末４０は、自端末が接続するマイクロノード２０に対して、自端末の現在位置座標（ｘＵＥ，ｙＵＥ）と自端末の移動方向θ０とを送信する（ステップＳ１０２）。マイクロノード２０は、制御装置３０に対して、無線通信端末４０から受信した現在位置座標（ｘＵＥ，ｙＵＥ）と移動方向θ０とを送信する（ステップＳ１０３）。
【００３３】
制御装置３０の移動予測範囲決定部３３は、取得部３２によって取得された無線通信端末４０の現在位置座標（ｘＵＥ，ｙＵＥ）と移動方向θ０とに基づいて、無線通信端末４０の移動予測範囲ａを決定する（ステップＳ１０４）。具体的には、移動予測範囲決定部３３は、現在位置座標（ｘＵＥ，ｙＵＥ）を中心とする所定の半径ｒの円内であり、かつ、移動方向θ０を中心とする所定の角度範囲θｍａｘのエリアを、移動予測範囲ａとして決定する。
【００３４】
切り替え決定部３４は、マイクロノード２０が移動予測範囲ａ内であるか否かを判断する（ステップＳ１０５）。具体的には、切り替え決定部３４は、Ｌ個のマイクロノード２０がカバー範囲座標の計算対象となる場合、ｍ番目のマイクロノード２０のカバー範囲座標（Ｘｍ，ｉ，ｊ，Ｙｍ，ｉ，ｊ）（ここで、１≦ｍ≦Ｌ、１≦ｉ≦Ｍ、１≦ｊ≦Ｎ）が、次式の条件を満たすか否かを判断する。
（Ｘｍ，ｉ，ｊ−ｘＵＥ）２＋（Ｙｍ，ｉ，ｊ−ｙＵＥ）２＜＝ｒ２  かつ
−Δθｍａｘ／２＜＝Ａｃｔｒａｎ（Ｙｍ，ｉ，ｊ−ｙＵＥ／Ｘｍ，ｉ，ｊ−ｘＵＥ）−θ０＜＝＋Δθｍａｘ／２
【００３５】
切り替え決定部３４は、ｍ番目のマイクロノード２０のカバー範囲座標（Ｘｍ，ｉ，ｊ，Ｙｍ，ｉ，ｊ）が上記条件式を満たす場合、ｍ番目のマイクロノード２０が移動予測範囲ａ内であると判断する。一方、切り替え決定部３４は、ｍ番目のマイクロノード２０のカバー範囲座標（Ｘｍ，ｉ，ｊ，Ｙｍ，ｉ，ｊ）が上記条件式を満たさない場合、ｍ番目のマイクロノード２０が移動予測範囲ａ外であると判断する。
【００３６】
マイクロノード２０が移動予測範囲ａ内であると判断された場合（ステップＳ１０５；Ｙｅｓ）、切り替え決定部３４は、当該マイクロノード２０の状態をオン状態に切り替えることを決定する(ステップＳ１０６)。また、切り替え決定部３４は、無線通信端末４０からの通信要求がある場合、マイクロノード２０の状態を接続状態に切り替えることを決定し、無線通信端末４０から通信要求がない場合、マイクロノード２０の状態をアイドル状態に切り替えることを決定する。なお、切り替え決定部３４は、移動予測範囲ａ内であると判断された１つのマイクロノード２０のみを接続状態に切り替えることを決定してもよいし、複数のマイクロノード２０を接続状態に切り替えることを決定してもよい。
【００３７】
通信部３５は、移動予測範囲ａ内であると判断されたマイクロノード２０に対して、切り替え決定部３４による決定に従い、オン状態への切り替え指示を送信する（ステップＳ１０７）。なお、通信部３５は、無線通信端末４０が接続するマイクロノード２０に対して、移動予測範囲ａ内であると判断されたマイクロノード２０に対するオン状態への切り替え指示を送信するように要求してもよい。
【００３８】
一方、マイクロノード２０が移動予測範囲ａ外であると判断された場合（ステップＳ１０５；Ｎｏ）、切り替え決定部３４は、当該マイクロノード２０の状態をオフ状態に切り替えることを決定する（ステップＳ１０８）。
【００３９】
通信部３５は、移動予測範囲ａ外であると判断されたマイクロノード２０に対して、切り替え決定部３４による決定に従い、オフ状態への切り替え指示を送信する（ステップＳ１０９）。なお、通信部３５は、無線通信端末４０が接続するマイクロノード２０に対して、移動予測範囲ａ外であると判断されたマイクロノード２０に対するオフ状態への切り替え指示を送信するように要求してもよい。
【００４０】
図４は、以上のような第１の実施形態に係る無線通信システムの動作の具体例を示す図である。図４では、マクロノード１０及びマイクロノード２０ａ乃至２０ｎの記載を省略しているが、図１と同様に、マクロセル１１には、マクロノード１０が設けられており、マイクロセル２１ａ乃至２１ｎには、マイクロノード２０ａ乃至２０ｎが設けられているものとする。
【００４１】
図４（ａ）に示すように、時刻ｔにおいて無線通信端末４０がマクロノード１０に接続している場合、マイクロノード２０ａ〜２０ｃのカバー範囲座標（Ｘｍ，ｉ，ｊ，Ｙｍ，ｉ，ｊ）が上記式の条件を満たす。したがって、制御装置３０の切り替え決定部３４は、マイクロノード２０ａ〜２０ｃが移動予測範囲ａ内であると判断し、通信部３５は、マイクロノード２０ａ〜２０ｃに対して、オフ状態からオン状態への切り替え指示を送信する。
【００４２】
また、図４（ｂ）に示すように、時刻ｔ＋１において無線通信端末４０がマイクロノード２０ｃに接続している場合、マイクロノード２０ｄ〜２０ｇのカバー範囲座標（Ｘｍ，ｉ，ｊ，Ｙｍ，ｉ，ｊ）が上記式の条件を満たす。したがって、制御装置３０の切り替え決定部３４は、マイクロノード２０ｄ〜２０ｇが移動予測範囲ａ内であると判断し、通信部３５は、マイクロノード２０ｄ〜２０ｇに対して、オフ状態からオン状態への切り替え指示を送信する。また、図４（ｂ）に示すように、時刻ｔ＋１において、制御装置３０の切り替え決定部３４は、マイクロノード２０ａ及び２０ｂが移動予測範囲ａ外であると判断し、通信部３５は、マイクロノード２０ａ及び２０ｂに対して、オン状態からオフ状態への切り替え指示を送信する。
【００４３】
＜作用・効果＞
第１の実施形態に係る無線通信システムによれば、マイクロノード２０が無線通信端末４０の移動予測範囲ａ内であるか否かによって、マイクロノード２０の状態がオフ状態からオン状態に切り替えられる。したがって、マクロセル１１内に多数のマイクロセル２１が設けられる無線通信システムにおいて、各マイクロセル２１を形成するマイクロノード２０を常にオン状態にする必要がなく、マイクロノード２０の消費電力を低減することができる。
【００４４】
［変更例１］
次に、変更例１に係る無線通信システムについて、第１の実施形態との相違点を中心に説明する。変更例１に係る無線通信システムでは、制御装置３０が、移動予測範囲ａ内のマイクロノード２０のうち、無線通信端末４０の接続率が所定の閾値以上であるマイクロノード２０の状態をオフ状態からオン状態に切り替える点で、第１の実施形態と異なる。
【００４５】
図５は、変更例１に係る制御装置の機能構成図である。図５に示すように、制御装置３０は、カバー範囲座標計算部３１、取得部３２、移動予測範囲決定部３３、切り替え決定部３４、通信部３５に加えて、接続率保持部３６を具備する。
【００４６】
接続率保持部３６は、無線通信端末４０の各マイクロノード２０に対する接続率を保持する。ここで、接続率とは、取得部３２によって取得された現在位置に位置する無線通信端末４０が、過去に、移動予測範囲ａ内の各マイクロノード２０に対して接続した確率である。
【００４７】
図６は、変更例１に係る無線通信システムの動作を示すシーケンス図及び概略図である。なお、図６のステップＳ２０１〜Ｓ２０５は、図３のステップＳ１０１〜Ｓ１０５と同様であるため、説明を省略する。
【００４８】
図６に示すように、制御装置３０の切り替え決定部３４は、接続率保持部３６を参照し、ステップＳ２０５において移動予測範囲ａ内であると判断されたマイクロノード２０の接続率が所定の閾値以上であるか否かを判断する（ステップＳ２０６）。
【００４９】
移動予測範囲ａ内であると判断されたマイクロノード２０の接続率が所定の閾値以上である場合（ステップＳ２０６；Ｙｅｓ）、切り替え決定部３４は、当該マイクロノード２０の状態をオン状態に切り替えることを決定する（ステップＳ２０７）。なお、ステップＳ２０８は、図３のステップＳ１０７と同様である。
【００５０】
一方、移動予測範囲ａ内であると判断されたマイクロノード２０の接続率が所定の閾値未満である場合（ステップＳ２０６；Ｎｏ）、切り替え決定部３４は、当該マイクロノード２０の状態をオフ状態に切り替えることを決定する（ステップＳ２０９）。なお、ステップＳ２１０は、図３のステップＳ１０９と同様である。
【００５１】
図７は、以上のような変更例１に係る無線通信システムの動作の具体例を示す図である。図７に示すように、無線通信端末４０がマイクロノード２０ｃに接続している場合、マイクロノード２０ｄ〜２０ｇのカバー範囲座標（Ｘｍ，ｉ，ｊ，Ｙｍ，ｉ，ｊ）が上記式の条件を満たす。したがって、制御装置３０の切り替え決定部３４は、マイクロノード２０ｄ〜２０ｇが移動予測範囲ａ内であると判断する。また、切り替え決定部３４は、移動予測範囲ａ内であると判断されたマイクロノード２０ｄ〜２０ｇのうち、無線通信端末４０の接続率が所定の閾値以上であるマイクロノード２０ｅ及び２０ｆの状態をオフ状態からオン状態に切り替えることを決定する。通信部３５は、マイクロノード２０ｅ及び２０ｆに対して、オフ状態からオン状態への切り替え指示を送信する。
【００５２】
変更例１に係る無線通信システムによれば、マイクロノード２０が無線通信端末４０の移動予測範囲ａ内である場合に、当該マイクロノード２０に対する無線通信端末４０の接続率が所定の閾値以上であるか否かに基づいて、マイクロノード２０の状態がオフ状態からオン状態に切り替えられる。したがって、マクロセル１１内に多数のマイクロセル２１が設けられる無線通信システムにおいて、オン状態にするマイクロセル２１の数を減らすことができ、より効率的に、マイクロノード２０の消費電力を低減することができる。
【００５３】
［その他の実施形態］
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５４】
１０…マクロノード、２０、２０ａ〜２０ｎ…マイクロノード、３０…制御装置、４０…無線通信端末、１１…マクロセル、２１…マイクロセル、３１…カバー範囲座標計算部、３２…取得部、３３…移動予測範囲決定部、３４…切り替え決定部、３５…通信部、３６…接続率保持部、ａ…移動予測範囲
【図１】
0005528934.tif 000002
【図２】
0005528934.tif 000003
【図３】
0005528934.tif 000004
【図４】
0005528934.tif 000005
【図５】
0005528934.tif 000006
【図６】
0005528934.tif 000007
【図７】
0005528934.tif 000008